(57)【要約】【課題】共通化し、安価にできるＸ線イメージ管の撮像装置を提供する。【解決手段】Ｘ線イメージ管の出力面に結像される可視光像を撮像するＸ線イメージ管の撮像装置30である。撮像装置30は、所定の画素数の撮像素子を備える。撮像素子で撮像した画像を出力手段で出力する。出力手段から出力する画像の画素数を出力調整手段で可変する。【選択図】図１
2015173022.tif 000002
【特許請求の範囲】
【請求項１】
Ｘ線イメージ管の出力面に結像される可視光像を撮像するＸ線イメージ管の撮像装置であって、
所定の画素数の撮像素子と、
前記撮像素子で撮像した画像を出力する出力手段と、
前記出力手段から出力する画像の画素数を可変する出力調整手段と
を具備することを特徴とするＸ線イメージ管の撮像装置。
【請求項２】
画像を補正する補正処理機能、画像の積算による画質向上処理機能、画像の表示を可変する表示処理機能、および撮影用のレンズが有する絞りの制御機能を含む複数の機能部のうちの少なくともいずれか１つを備える
ことを特徴とする請求項１記載のＸ線イメージ管の撮像装置。
【発明の詳細な説明】
【技術分野】
【０００１】
本発明の実施形態は、Ｘ線像を可視光像に変換するＸ線イメージ管の撮像装置に関する。
【背景技術】
【０００２】
従来、Ｘ線イメージ管では、真空外囲器内に入射したＸ線を入射面で電子に変換し、真空外囲器内に配置された電子レンズを構成する複数の集束電極で電子を加速、集束し、真空外囲器の出力面で電子を可視光像に結像している。
【０００３】
そして、Ｘ線イメージ管を用いたイメージングシステムでは、Ｘ線イメージ管の出力面をＣＣＤカメラ等の撮像装置を用いて撮像し、撮像装置で撮像した画像を処理装置に取り込んで処理し、モニタに映し出してモニタリングしたり、処理、検査、診断を行っている。
【先行技術文献】
【特許文献】
【０００４】
【特許文献１】特開２００８−２５６４３９号公報
【発明の概要】
【発明が解決しようとする課題】
【０００５】
日本国内や欧米各国では、処理装置側のアプリケーションの高機能化に伴い、Ｘ線イメージ管用の撮像装置にも高画素化が求められている。
【０００６】
これら市場においても顧客の処理装置側のアプリケーションにおける処理能力にはばらつきが大きく、ほぼあらゆる画像処理を処理装置側で行えるケースもあれば、逆に、それら機能は撮像装置側に求め、処理装置側では純粋な診断・検査機能のみを備えたいという要望もある。
【０００７】
さらに、新興国市場も昨今大きな広がりを見せているが、これら地域では高機能な高級機よりは、画素数や機能を抑えた安価な装置が求められる。
【０００８】
これら広範な市場毎に撮像装置を開発すると、開発費、期間が莫大にかかるのみではなく、品種数も増えてしまい、その結果、撮像装置の価格を抑えることもできない。
【０００９】
本発明が解決しようとする課題は、共通化し、安価にできるＸ線イメージ管の撮像装置を提供することである。
【課題を解決するための手段】
【００１０】
本実施形態は、Ｘ線イメージ管の出力面に結像される可視光像を撮像するＸ線イメージ管の撮像装置であって、所定の画素数の撮像素子と、前記撮像素子で撮像した画像を出力する出力手段と、前記出力手段から出力する画像の画素数を可変する出力調整手段とを具備する。
【図面の簡単な説明】
【００１１】
【図１】一実施形態を示すＸ線イメージ管の撮像装置の概念図である。
【図２】同上Ｘ線イメージ管の撮像装置の側面図である。
【図３】同上Ｘ線イメージ管の側面図である。
【発明を実施するための形態】
【００１２】
以下、一実施形態を、図１ないし図３を参照して説明する。
【００１３】
図３に示すように、Ｘ線イメージ管10は、金属製の真空外囲器11を有している。真空外囲器11には、Ｘ線12の入力窓である入力部13、およびこの入力部13に対して反対側に出力窓である出力部14が形成されている。
【００１４】
真空外囲器11内には、入力部13の内側に入力部13から入射するＸ線12を電子15に変換する入力面16が設けられ、出力部14の内側に入力面16からの電子15を可視光像17に変換して出力部14から出力する出力面18が設けられている。さらに、真空外囲器11内には、入力面16から出力面18に向かって進行する電子15の進路に沿って電子15を加速、集束する電子レンズを構成する複数の集束電極19が設置されている。集束電極19には電源部20から高圧電源が印可される。
【００１５】
また、図２に示すように、Ｘ線イメージ管10の出力部14には、出力面18から出力される可視光像17を撮像するカメラである撮像装置30が設置されている。撮像装置30は、カメラ本体である撮像装置本体31、および撮像装置本体31に装着されて出力面18に対向されるレンズ32を備えている。撮像装置本体31を支持するアダプタ33により、撮像装置30がＸ線イメージ管10に設置されている。
【００１６】
撮像装置本体31は、ＣＣＤ等の撮像素子34、撮像装置30を制御する制御部35、撮像装置30を接続する処理装置に撮像素子34で撮像した画像を出力する出力手段36、および出力手段36から出力する画像の画素数を可変する出力調整手段37を備えている。
【００１７】
レンズ32は、絞り38を有し、汎用性を考慮してＣマウントレンズやＣＣＴＶレンズ等が用いられている。絞り38は、電動で開閉する電動絞りであるが、固定絞りでもよい。
【００１８】
次に、図１に本実施形態の撮像装置30の概念図を示す。
【００１９】
撮像装置30は以下の基本仕様を備えている。
【００２０】
基本仕様(1)：撮像素子34の画素数は、ハイエンドでの工業用ＣＴ装置を想定して５００万画素とする。
【００２１】
基本仕様(2)：出力手段36の出力インターフェースは、カメラリンク規格またはギガネットイーサネット（登録商標）を備える。
【００２２】
基本仕様(3)：出力手段36の画像を出力するフレームレートは、３０f/sとする。
【００２３】
基本仕様(4)：出力手段36から出力する画素数は、出力調整手段37によって４０万画素〜５００万画素の範囲で可変設定できる。
【００２４】
そして、基本仕様(4)においては、設定ファイル（ギガネットイーサネット（登録商標）ならｘｍｌファイル等）で撮像素子34から５００万画素で画像を読み出しながら、設定ファイルによって出力画素数を４０万画素から５００万画素の画像に可変させる。これによって、新興国等でまだまだ残る４０万画素の処理装置にも、最新の高画素を想定した処理装置にも、共通の撮像装置30で対応できる。
【００２５】
顧客側で画像処理のノウハウを持っている場合、Ｘ線イメージ管用の撮像装置30での画像処理はかけないことを望む場合があることから、このような場合には基本仕様の撮像装置30で対応できる。
【００２６】
また、基本仕様の撮像装置30には、以下の機能部40をオプションとして組み合わせ可能とする。
【００２７】
機能(1)：画像の輪郭を強調する輪郭強調（０〜２５５、８bit相当）、撮像素子34から読み出す画像のゲインを調整するゲイン調整、画像のノイズ成分を除去するリカーシブ（ノイズ）フィルタ（オフ、弱、中、強）等を含む補正処理機能の機能部40。
【００２８】
機能(2)：画像の積算による画質の向上を図る画像積算（メモリ搭載、最大５１２枚分）、次の画像を表示するまで最後の画像を表示させておくＬＩＨ（ラストイメージホールド）機能等を含む画質向上処理機能の機能部40。
【００２９】
機能(3)：画像の左右、上下、白黒を反転させる画像反転機能、画像を回転させる画像回転機能等を含む表示処理機能の機能部40。
【００３０】
機能(4)：レンズ32の絞り（電動絞り）38の制御機能の機能部40。
【００３１】
そして、機能(1)は、撮像装置30側に基本的な画像処理系統を望む場合を想定する。一般的な医療用や工業用の中〜やや高機能な装置、一部のＣＴ装置ではこのようなオプションが有効となる。
【００３２】
機能(2)は、ソフト力があまり高くない工業用やアナログカメラからの置き換え（アナログカメラでは外部画像処理装置が珍しくなかった。）の場合、可能な限り処理装置の構成を変えずに、高画素化を図りたい用途等に有効となる。
【００３３】
機能(3)は、医療用用途等に有効となる。
【００３４】
機能(4)は、Ｘ線イメージ管10が、入力面16の所定領域の画像を出力面18に結像する通常モードと、入力面16の所定領域の一部を拡大した画像を出力面18に結像する拡大モードとを有する場合、それらモードに応じて、絞り38を開閉調整し、画像の輝度を調整する場合（特に工業用に多い）に有効となる。
【００３５】
これら機能部40は、例えばボックス化または基板化し、撮像装置30に後付け可能に構成する。
【００３６】
このように、基本仕様の撮像装置30は、多くの用途に対応可能とすることから、機能面および数量面の両方で価格を抑えることができる。
【００３７】
そのうえで、基本仕様の撮像装置30に各機能部40の少なくともいずれか１つをオプションとして組み合わせることでできるため、トータルでのコストは最低限とすることが可能で、かつ顧客のアプリケーションへの個別対応が最大限可能となる。
【００３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
10    Ｘ線イメージ管
18    出力面
30    撮像装置
32    レンズ
34    撮像素子
36    出力手段
37    出力調整手段
38    絞り
40    機能部
【図１】
2015173022.tif 000003
【図２】
2015173022.tif 000004
【図３】
2015173022.tif 000005